(57)【要約】      （修正有）【課題】折れ線から刃が折れる場合でも、折れた刃が飛散しないカッターブレードを提供する。【解決手段】カッターブレードは、刃先を有する平板状のブレード本体と、ブレード本体に設けられる複数の折り線と、ブレード本体の表面および裏面の少なくとも一方に設けられる飛散防止材（フィルム部材、テープ素材又は薄膜素材）と、を備え、折り線は、ブレード本体の一部を折ることを可能とする。【選択図】図１
0003202451.tif 000002
【実用新案登録請求の範囲】
【請求項１】
刃先を有する平板状のブレード本体と、
前記ブレード本体に設けられる複数の折り線と、
前記ブレード本体の表面および裏面の少なくとも一方に設けられる飛散防止材と、を備え、
前記折り線は、前記ブレード本体の一部を折ることを可能とする、カッターブレード。
【請求項２】
前記カッターブレードは、カッターナイフに使用される、請求項１記載のカッターブレード。
【請求項３】
前記飛散防止材は、前記表面もしくは前記裏面の一方のみに設けられる、請求項１または２記載のカッターブレード。
【請求項４】
前記飛散防止材は、フィルム部材、テープ素材および薄膜素材のいずれかである、請求項１から３のいずれか記載のカッターブレード。
【請求項５】
前記飛散防止材は、塗布部材である、請求項１から３のいずれか記載のカッターブレード。
【請求項６】
前記飛散防止材は、前記折り線で折れた前記ブレード本体の一部を留めることが可能である、請求項１から５のいずれか記載のカッターブレード。
【請求項７】
請求項１から６のいずれか記載のカッターブレードと、
前記カッターブレードを出し入れ可能に収納するケースと、を備えるカッターナイフ。
【考案の詳細な説明】
【技術分野】
【０００１】
本考案は、折れ線のあるカッターブレードにおいて、折れ線から刃の一部が折れる場合でもこの一部が飛散しないカッターブレードに関する。
【背景技術】
【０００２】
工場での製造作業、家庭での工作作業、建築現場での建築作業などにおいて、紙、樹脂、軽質素材などを切断する作業が行われることがある。あるいは、建築現場で、表面仕上げのために、余分な部材を切り取る作業が行われることがある。このような切断や切り取りの作業においては、カッターナイフが使用されることがある。
【０００３】
カッターナイフは、切断可能な刃先を有するカッターブレードを、把持用のケースに収めている。使用者は、このカッターブレードを、ケースの先端から出すことで、カッターブレードの一部を表出させて、刃先を露出させることができる。
【０００４】
使用者は、刃先を切断や切り取りしたい対象物にあてがって、切断や切り取りの作業を実現する。
【０００５】
このように、使用者はケースから出したカッターブレードの刃先を用いて切断作業等を行うことで、刃先の切れ味が悪くなることがある。使用による刃先の劣化や刃先の損耗などによって、刃先がその切断能力を十分に発揮できなくなるからである。
【０００６】
カッターブレードにおいて切断等で使用するのは、その先端部分が殆どである。このため、使用によって切れ味が悪くなる刃先は、カッターブレードの先端部分だけとなることが多い。この先端部分の刃先のみの切れ味が悪くなるだけで、カッターブレード全体を交換しなければならないのは、非経済的であり、非効率的である。
【０００７】
このため、現在のカッターナイフ用のカッターブレードは、先端部分の刃先の切れ味が悪くなるのに合わせて、少しずつ切り取ることのできる複数の折れ線が設けられている。複数の折れ線は、カッターブレードの縦方向に沿って設けられている。所定間隔で設けられていることが多く、カッターブレードの先端から、折れ線に沿って少しずつ折り取ることができるようになっている。
【０００８】
このように、複数の折れ線が設けられていることで、切れ味が悪くなるカッターブレードの先端部分から、徐々に取り除いて、一つのカッターブレードで次々と切れ味のよい刃先を有する先端部分を使用することができる。
【０００９】
また、折れ線があることで、カッターブレードを大きくしならせて使用する際に、荷重がかかったところで折れ線からカッターブレードが折れる。このように高い荷重がかかった場合に、カッターブレードが合わせて折れることで、カッターブレードが激しく破壊されることが無い。このため、高い荷重を掛けて作業しなければならない場合でも、カッターブレードが不規則に激しく破壊されることが無いので、作業時の危険性が低減できる。
【００１０】
このような、経済性、効率性、安全性などを目的として、カッターナイフ用のカッターブレードには、複数の折れ線が設けられている。
【００１１】
このような状況で、カッターブレードについての技術が提案されている（例えば、特許文献１参照）。
【先行技術文献】
【特許文献】
【００１２】
【特許文献１】特開２０１４−９４１６３公報
【考案の概要】
【考案が解決しようとする課題】
【００１３】
特許文献１は、刃折り線を有する折る刃タイプのカッターブレードであって、ブレード母材の全体に表面改質コーティングが施されており、カッターブレード厚さに対する刃折り線の深さの比率が、０．１０以上０．６０以下であるカッターブレードを開示する。
【００１４】
特許文献１の技術は、カッターブレードに設けられる刃折り線の深さの比を特定することで、この刃折り線でカッターブレードが確実に折れるようになることを目的としている。また、刃折り線の深さを深くしていることで、カッターブレード全体の柔軟性を高めており、刃先の損耗を軽減することを目的としている。
【００１５】
しかしながら、特許文献１のカッターブレードは、刃折り線でカッターブレードが折れる際には、折れた刃部分が折れる衝撃で飛散してしまう。特許文献１のカッターブレードは、表面にコーティングが施されているが、これは刃先の損耗を抑えることを目的としているだけであり、折れた刃部分は、そのまま飛散してしまうことを防止できない。
【００１６】
例えば、工場での製造作業中に折れ線からカッターブレードが折れることがある。この折れた刃部分は、折れる際の衝撃で飛散してしまう。この飛散においては、刃部分がどこに飛んでしまうか予測不可能である。工場においては、安全性の確保が重要であり、折れた刃部分が予測不可能な場所に飛散してしまうことは好ましくない。以降の安全性を維持するために、飛散した折れた刃を探し出さなければならないなどの手間も生じる。
【００１７】
家庭での工作作業でも同じであり、予測不可能な方向に折れた刃が飛散することは危険である。飛散する際にけがをしたり、飛散した刃を足で踏んでけがをしたりすることもありうる。
【００１８】
また、建築現場においては、高所作業においてカッターナイフを使用することもある。高所作業中にカッターナイフが使用される際に折れ線から刃が飛散することに繋がる。この場合には、高所から折れた刃が落下してしまい、地上の通行人などに被害を与えてしまう懸念がある。このような懸念は、作業者の安全性に留まらず、周囲への安全確保にも問題となる。
【００１９】
このように、従来技術のカッターブレードは、折れ線が設けられていることでのメリットがあるが、折れた刃が予測不可能に飛散してしまう問題を有していた。
【００２０】
本考案は、この問題に鑑み、折れ線から刃が折れる場合でも、折れた刃が飛散しないカッターブレードを提供することを目的とする。
【課題を解決するための手段】
【００２１】
上記問題を解決するために、本考案のカッターブレードは、刃先を有する平板状のブレード本体と、
前記ブレード本体に設けられる複数の折り線と、
前記ブレード本体の表面および裏面の少なくとも一方に設けられる飛散防止材と、を備え、
前記折り線は、前記ブレード本体の一部を折ることを可能とする。
【考案の効果】
【００２２】
本考案のカッターブレードは、カッターブレードの表面もしくは裏面の少なくとも一方に飛散防止材が装着されていることで、荷重によって折れ線からカッターブレードの一部が折れる場合でも、折れた一部は飛散しない。
【００２３】
折れた一部は、飛散防止材に付着した状態のままで残るので、使用者が、手作業で折れた一部を取り除くことができる。結果として、折れた一部が、紛失することが無く、作業場での安全が容易に確保できる。
【００２４】
これらの結果、カッターナイフを安全に使用することができ、カッターナイフを使用した作業効率が向上する。
【図面の簡単な説明】
【００２５】
【図１】本考案のカッターナイフの一部の側面図である。
【図２】本考案の実施の形態におけるカッターブレードの一部の側面図である。
【図３】本考案の実施の形態におけるカッターブレードを上から見た模式図である。
【図４】本考案の実施の形態におけるカッターブレードを上から見た模式図であるである。
【図５】本考案の実施の形態における折り線から一部が折れたカッターブレードを上から見た模式図である。
【考案を実施するための形態】
【００２６】
本考案の第１の考案に係るカッターブレードは、刃先を有する平板状のブレード本体と、
前記ブレード本体に設けられる複数の折り線と、
前記ブレード本体の表面および裏面の少なくとも一方に設けられる飛散防止材と、を備え、
前記折り線は、前記ブレード本体の一部を折ることを可能とする。
【００２７】
この構成により、折り線からブレード本体の一部が切り取られる場合でも、切り取られた一部を、飛散防止部材が抑えることができる。
【００２８】
本考案の第２の考案に係るカッターブレードでは、第１の考案に加えて、前記カッターブレードは、カッターナイフに使用される。
【００２９】
この構成により、折り線からブレード本体の一部を切り取ることが可能なカッターブレードであって、切り取られた部分が飛散しないカッターブレードを用いたカッターナイフを実現できる。
【００３０】
本考案の第３の考案に係るカッターブレードでは、第１または第２の発明に加えて、前記飛散防止材は、前記表面もしくは前記裏面の一方のみに設けられる。
【００３１】
この構成により、ブレード本体を折り曲げる側と付着させる側とが形成できる。
【００３２】
本考案の第４の考案に係るカッターブレードでは、第１から第３のいずれかの発明に加えて、前記飛散防止材は、フィルム部材、テープ素材および薄膜素材のいずれかである。
【００３３】
この構成により、飛散防止材は、容易に装着できると共に、切り取られたブレード本体の切断部分を、付着して飛散させない。
【００３４】
本考案の第５の考案に係るカッターブレードでは、第１から第３のいずれかの考案に加えて、前記飛散防止材は、塗布部材である。
【００３５】
この構成により、飛散防止材は、容易に装着できると共に、切り取られたブレード本体の切断部分を、付着して飛散させない。
【００３６】
本考案の第６の考案に係るカッターブレードでは、第１から第５のいずれかの発明に加えて、前記飛散防止材は、前記折り線で折れた前記ブレード本体の一部を留めることが可能である。
【００３７】
この構成により、折り線から切り取られるブレード本体の切断部分が、飛散したり落下したりしない。
【００３８】
以下、図を用いて、本考案の実施の形態について説明する。
【００３９】
（実施の形態）
【００４０】
実施の形態について説明する。
【００４１】
（全体概要）
図１は、本考案のカッターナイフの一部の側面図である。カッターナイフ１は、ケース２とカッターブレード３を備える。カッターブレード３が、ケース２内部に収容されることで、カッターナイフ１が構成される。カッターブレード３は、ケース２から出し入れが可能であり、使用者は、カッターブレード３をケース２から引き出して使用しつつ、使用が終われば、カッターブレード３をケース２に収容して、カッターナイフ１を使用できる。
【００４２】
カッターブレード３は、ブレード本体４と刃先５を備えている。ブレード本体４は、カッターブレード３の全体外形であり、この一部が、実際に切断を行える刃先５である。刃先５は、ブレード本体４の一部であり、切断対象物を切断する際に、切断対象物にあてがわれる部位である。
【００４３】
使用者は、カッターブレード３をケース２から引き出した上で、刃先５を切断対象物に当てて、切断作業等を行う。
【００４４】
ブレード本体４には、複数の折り線６が設けられている。複数の折り線６は、ブレード本体４の縦方向に沿っている。すなわち、ブレード本体４の延伸方向を、複数の区画に分割するように、複数の折り線６が設けられている。この折り線６によって、ブレード本体４は、先端から根元に至るまで、順々に区画に分割される。
【００４５】
折り線６は、ブレード本体４に一定以上の荷重が加えられると、この区画に対応して、ブレード本体４の一部を切り取ることができる。折り線６は、ブレード本体４に溝状で形成され、一定以上の荷重によって、溝状の部分が折れ曲がって切り離されるからである。
【００４６】
例えば、ブレード本体４の先端部分の刃先５の切れ味が悪くなることがある。使用による劣化や損耗のためである。このような場合に切れ味の悪くなった先端部分を取り除きたい。このような場合に、使用者がブレード本体４の先端を反らすような荷重を掛ける。この荷重によって、折り線６から先端部分のブレード本体の一部が切り取られる。
【００４７】
あるいは、作業中にブレード本体４に高い荷重がかかることがある。この場合にも、折り線６からブレード本体４の先端が切り取られる。このように、ブレード本体４の一部が、折り線６から切り取られることで、カッターブレード３の経済性や安全性が確保できる。
【００４８】
図２は、本考案の実施の形態におけるカッターブレードの一部の側面図である。カッターブレード３は、図２に示されるように、ブレード本体４、ブレード本体４の一部であって切断対象物に接して切断を行える刃先５、複数の折り線６を備えている。このようなカッターブレード３が、カッターナイフ１に使用される。
【００４９】
ここで、実施の形態におけるカッターブレード３は、ブレード本体４の表面および裏面の少なくとも一方に飛散防止材７を備える。図３は、本考案の実施の形態におけるカッターブレードを上から見た模式図である。
【００５０】
図３では、カッターブレード３のブレード本体４の表面（図３での左側）に飛散防止材７が設けられている。言い換えれば、飛散防止材７が、ブレード本体４の表面に装着されている。
【００５１】
上述のように、ブレード本体４は、折り線６において折れ曲がって切り離される。切り離されて、ブレード本体４の先端側の一部が外れる。このとき、飛散防止材７が、ブレード本体４の切り取られた一部を、装着したままにできる。この装着したままにできることで、切り取られたブレード本体４の一部は、飛散防止材７によって、落下したり飛散したりしない。
【００５２】
切り取られたブレード本体４の一部が飛散防止材７に付いたまま残ることで、切り取られた一部は、ブレード本体４から（カッターナイフ１から）飛び散ってしまうことがない。この結果、折り線６から切り取られたブレード本体４の一部は、飛散防止材７に繋がったまま、使用者がこれを確認、除去できる。
【００５３】
このように、本考案のカッターブレード３は、折り線６のメリットを生かしつつ、折り線６から折れたブレード本体４の一部を、飛散させたり落下させたりすることを防止できる。この防止の結果、安全性や作業効率性を向上させることができる。
【００５４】
（使用説明）
図４は、本考案の実施の形態におけるカッターブレードを上から見た模式図であるである。図３と同じく、カッターブレード３を正面から見た状態を示している。すなわち、カッターナイフ１を上から見た状態でのカッターブレード３の見え方で、図４は、示されている。
【００５５】
使用者は、カッターナイフ１を、製造作業、工作作業、建築作業などの様々な用途に用いる。この作業を行う中で、刃先５の切れ味が悪くなったり損耗したりする場合には、図４のようにブレード本体４を左右方向のいずれかにそらす。すなわち、ブレード本体４を、その表面側もしくは裏面側にそらす。このそらすことにより、ブレード本体４に荷重を加えることができる。
【００５６】
この荷重は、ブレード本体４の折り線６にも加わる。この荷重が加わることで、折り線６は折れ曲がって切れるようになる。
【００５７】
図４における矢印は、荷重が加わる方向を示している。この矢印の方向に従って、荷重が加わる。この荷重が、折り線６での折れ曲がりを生じさせると、図５のような状態となる。
【００５８】
図５は、本考案の実施の形態における折り線から一部が折れたカッターブレードを上から見た模式図である。図４での荷重が所定以上になることで、ある折り線６からブレード本体４の一部が切り取られる。切り取られることで、ブレード本体４から切り取られた切断部分８が生じる。切断部分８は、切り取られる前はブレード本体４の一部である。
【００５９】
ブレード本体４の表面には、飛散防止材７が装着されている。この飛散防止材７に、切断部分８が付着した状態で残る。図５では、この切断部分８が飛散防止材７に付着した状態を示している。この付着状態により、切断部分８が飛散したり落下したりしない。結果として、ブレード本体４の一部が折り線６で切り取られても、安全等へのデメリットが防止される。
【００６０】
使用者は、付着して残っている切断部分８を、手作業で切り離して取り除けばよい。このとき、はさみ等で、飛散防止材７を切断して、切断部分８を切り離して取り除く。
【００６１】
次に、各部の詳細について説明する。
【００６２】
（ブレード本体）
ブレード本体４は、カッターブレード３の外形を形成する。ブレード本体４は、切断用の刃先５を備えている。更に、複数の折り線６が形成されており、この複数の折り線６によってブレード本体４が複数の区画に区分されている。この折り線６によって、ブレード本体４は、区画ごとに切り取られることができる。
【００６３】
（折り線）
折り線６は、ブレード本体４に形成されている。ブレード本体４の先端側から根元側に至るまでを、複数の区画に分割するように折り線６が形成されている。折り線６は、溝状であり、荷重によって折れ曲がる。この折れ曲がりによって、刃先５の切れ味が悪くなった部分を取り除くことができる。
【００６４】
なお、複数の折り線６同士の間隔は、種々の仕様により定められれば良い。
【００６５】
（飛散防止材）
飛散防止材７は、ブレード本体４の表面および裏面の少なくとも一方に設けられる。このため、表面および裏面の両方に設けられてもよい。
【００６６】
あるいは、飛散防止材７は、表面もしくは裏面のいずれか一方のみに設けられてもよい。表面もしくは裏面のいずれか一方のみに設けられることで、折り線６から切断部分８がブレード本体４から切り離されやすい。飛散防止材７が設けられていない側から設けられている側に向けて、ブレード本体４が反り曲り、折り線６から切断部分８が切り取られるからである。
【００６７】
この切り取りに加えて、飛散防止材７側に向けて切り取られた切断部分８が、飛散防止材７に付着したままの状態となるからである。
【００６８】
飛散防止材７は、フィルム部材、テープ素材および薄膜素材のいずれかで形成されていることも好適である。このような素材は、柔軟性を有すると共に、金属製のブレード本体４に装着容易だからである。また、これらの素材は、ブレード本体４の一部が切り取られても、切断部分８をそのまま付着させておくことができる。更には、ブレード本体４が、折り線６から切り取られる場合でも、切断されずに残り、切断部分８を飛散させないで済む。
【００６９】
あるいは、飛散防止材７は、塗布部材で形成されることも好適である。塗布素材で形成されることで、その装着が容易となるからである。塗布素材は、ブレード本体４に塗布された後で、装着状態となる。この装着状態となった後で、フィルム素材などと同様に、柔軟性、付着性などを有するようになる。この特性により、切断部分８を、飛散させない。
【００７０】
このように、飛散防止材７は、折り線６から切断されて切り取られるブレード本体４の一部である切断部分８を飛散させずにとどめることができる。この結果、折り線６に沿ってブレード本体４の一部を切り取る必要があるときにも、刃先５の残っている切断部分８を、飛散させたり落下させたりすることが無い。
【００７１】
以上のように、実施の形態におけるカッターブレード３は、折り線６に沿って切り取られる切断部分８を飛散させたり落下させたりすることなく、安全性を確保できる。このカッターブレード３を有するカッターナイフ１は、安全な作業を実現できる。
【００７２】
以上、実施の形態で説明されたカッターブレードは、本考案の趣旨を説明する一例であり、本考案の趣旨を逸脱しない範囲での変形や改造を含む。
【符号の説明】
【００７３】
１    カッターナイフ
２    ケース
３    カッターブレード
４    ブレード本体
５    刃先
６    折り線
７    飛散防止材
８    切断部分
【図１】
0003202451.tif 000003
【図２】
0003202451.tif 000004
【図３】
0003202451.tif 000005
【図４】
0003202451.tif 000006
【図５】
0003202451.tif 000007